(57)【要約】【課題】従来のクレードル装置では、１個の充電台に、載置する際の位置や姿勢によって異なる処理が行われる複数の載置部を設け、実施しようとする処理の種類によって載置部を選択するようになっていたため、載置部の数だけコネクタが必要となり、部品点数が多くて不経済であるばかりでなく、充電台が大型化されていた。【解決手段】本発明は、音声信号に応じた音を出力するスピーカ１４，１５と、そのスピーカ及び電源とそれぞれ電気的に接続されると共に音声信号を出力可能な携帯音楽プレーヤ６Ａが電気的に着脱可能に接続されるコネクタ１３と、そのコネクタ１３を移動可能に支持する充電台１２と、を設けた。【選択図】図２
2008092159.tif 000002
【特許請求の範囲】
【請求項１】
音声信号を出力可能な携帯音楽機器が電気的に着脱可能に接続されるコネクタと、
前記コネクタを移動可能に支持する充電台と、を設けた
ことを特徴とする音楽機能付きクレードル装置。
【請求項２】
前記コネクタの移動を検出してその検出信号を出力する位置検出器を設けた
ことを特徴とする請求項１記載の音楽機能付きクレードル装置。
【請求項３】
前記コネクタに接続された前記携帯音楽機器を側方から支えるように支持する支持部材を設けた
ことを特徴とする請求項１記載の音楽機能付きクレードル装置。
【請求項４】
前記支持部材を、前記コネクタに対して進退移動可能であって任意の位置で固定可能な自在鉤機構を設けた
ことを特徴とする請求項３記載の音楽機能付きクレードル装置。
【請求項５】
前記支持部材は、前記自在鉤機構に摺動可能に支持されるガイド部と、前記ガイド部に連続して設けられると共に当該ガイド部から離れた位置で前記携帯音楽機器に接触する接触部と、を有する
ことを特徴とする請求項３記載の音楽機能付きクレードル装置。
【請求項６】
前記自在鉤機構は、前記支持部材の前記ガイド部を付勢して固定する付勢部材を有する
ことを特徴とする請求項５記載の音楽機能付きクレードル装置。
【請求項７】
前記ガイド部は、互いに平行に配置された複数本のガイド軸からなり、
前記接触部は、前記複数本のガイド軸の一端に連続して形成され且つ前記携帯音楽機器の背面に面接触、線接触又は点接触する
ことを特徴とする請求項５記載の音楽機能付きクレードル装置。
【請求項８】
前記ガイド部は、互いに平行に配置された２本のガイド軸からなり、
前記接触部は、前記２本のガイド軸の一端にそれぞれ連続された逆Ｖ字形又は逆Ｕ字形の折り曲げ軸からなり、
前記接触部を、前記ガイド部が延在する方向と交差する方向に延在させて設けた
ことを特徴とする請求項７記載の音楽機能付きクレードル装置。
【請求項９】
前記充電台は、
前記コネクタが搭載されるスライドベースと、
前記スライドベースを摺動可能に支持するシャーシと、
前記スライドベースに形成された穴に転動自在に保持されると共に付勢部材によって前記シャーシに付勢される球体と、を有する
ことを特徴とする請求項１記載の音楽機能付きクレードル装置。
【発明の詳細な説明】
【技術分野】
【０００１】
本発明は、音楽機能付き携帯電話や携帯音楽プレーヤ等の携帯音楽機器を接続するためのコネクタを有する充電台を備え、その携帯音楽機器が有する携帯用電源装置に充電したり、音楽を音質よく再生したりすることができる音楽機能付きクレードル装置に関するものである。
【背景技術】
【０００２】
従来の、機能付きクレードル装置としては、例えば、特許文献１に記載されているようなものがある。特許文献１には、ＰＤＡ(Personal Digital Assistant)端末、デジタルカメラ、携帯電話機等の携帯情報端末及びこの携帯情報端末用のクレードル装置並びにこの携帯情報端末とクレードル装置とからなる情報端末システムに関するものが記載されている。この特許文献１に記載されたクレードル装置は、「携帯情報端末を第１の位置に載置するための第１の載置部と、前記携帯情報端末を第２の位置に載置するための前記第１の載置部とは異なる第２の載置部と、前記携帯情報端末に対して第１の処理を行う第１の処理手段と、前記携帯情報端末に対して第２の処理を行う第２の処理手段と、を具備し、前記携帯情報端末が前記第１の載置部に載置されている場合には前記第１の処理が行われ、前記携帯情報端末が前記第２の載置部に載置されている場合には前記第２の処理が行われる」ことを特徴としている。
【０００３】
このような構成を有するクレードル装置によれば、「クレードル装置に載置する際の位置や姿勢により異なる処理動作を行うことができる」（明細書の段落［００１８］）等の効果が期待される。
【０００４】
また、従来の音楽機能付きクレードル装置の例としては、例えば、特許文献２に記載されているようなものがある。特許文献２には、携帯電話システム、携帯電話端末、充電台及びそれらに用いる音楽再生方法に関するものが記載されている。この特許文献２に記載された充電台は、「音楽データの再生が可能な携帯電話端末に対する充電を充電端子を通して行う充電台であって、前記携帯電話端末に内蔵する音楽データの再生音が前記充電端子を経由して入力された時にその再生音を内蔵するスピーカから鳴動させる」ことを特徴としている。
【０００５】
このような構成を有する充電台によれば、「携帯電話端末に内蔵する音楽データの再生音を携帯電話端末の充電を行うための充電端子を経由して充電台に送り、充電台のスピーカから再生音を鳴動させることによって、利用者の利便性を損なわずに高音質な音楽データを聞くことができる」（明細書の段落［００３１］）という効果が期待される。
【特許文献１】特開２００６−４２６１号公報
【特許文献２】特開２００３−２８３６０９号公報
【発明の開示】
【発明が解決しようとする課題】
【０００６】
しかしながら、特許文献１に記載されたクレードル装置では、１個の充電台に、載置する際の位置や姿勢によって異なる処理が行われる複数の載置部を設け、実施しようとする処理の種類によって載置部を選択するようになっていた。そのため、載置部の数だけコネクタが必要となり、部品点数が多くて不経済であるばかりでなく、充電台が大型化されているという問題があった。
【０００７】
また、特許文献２に記載された充電台では、携帯電話端末よりも大きな載置面を有し、その載置面に寝かせるように載置して携帯電話端末を充電台に装着する構成となっていた。そのため、充電台が極めて大きなものとなり、装置全体の小型化の要請に反するという問題があった。
【０００８】
本発明は、前述したような問題点に鑑みてなされたものであり、コネクタを１個のみとして充電台の小型化を図ると共に、同じコネクタを用いている携帯音楽機器であれば、その筐体の厚みや幅等の寸法が異なるものであっても、それぞれ筐体を安定性よく確実に支持することができる音楽機能付きクレードル装置を提供する。
【課題を解決するための手段】
【０００９】
本発明の音楽機能付きクレードル装置は、音声信号を出力可能な携帯音楽機器が電気的に着脱可能に接続されるコネクタと、そのコネクタを移動可能に支持する充電台と、を設けたことを最も主要な特徴とする。
【発明の効果】
【００１０】
本発明の音楽機能付きクレードル装置によれば、充電台用コネクタの移動範囲内の所望の位置において、そのコネクタに携帯音楽機器の端末側コネクタを接続することにより、その充電台用コネクタの位置で電源からの電力を充電したり、音声信号を出力して音質の良い音楽を再生したりすることができる。また、充電台のコネクタを移動できるため、種類の異なる携帯音楽機器を常にバランスよく取り付けることができると共に、携帯音楽機器を寄りかけておくことができる。
【発明を実施するための最良の形態】
【００１１】
コネクタの移動範囲内で、そのコネクタに携帯音楽機器の端末側コネクタを接続することにより、充電台用コネクタの位置において、携帯音楽機器に電力を充電したり、その携帯音楽機器から音声信号を出力して音質の良い音楽を再生したりすることができる音楽機能付きクレードル装置を、簡単な構成によって実現した。
【００１２】
以下、本発明の実施の形態を、添付図面を参照して説明する。図１〜図２８は、本発明の実施の形態の例を説明するものである。即ち、図１は本発明の音楽機能付きクレードル装置を備えた音響システムの全体構成を示す説明図、図２は本発明の音楽機能付きクレードル装置の第１の実施の例を分解して示す説明図、図３は音楽機能付きクレードル装置の背面を示す斜視図、図４は音響システムの回路構成を示すブロック図、図５はＤＣケーブルに対する音楽データの重畳の説明図、図６は本発明の音楽機能付きクレードル装置に厚みの薄い携帯音楽機器を装着した説明図、図７は同じく厚みの厚い携帯音楽機器を装着した説明図、図８は厚みの薄い携帯音楽機器を示す斜視図、図９は同じく厚みの厚い携帯音楽機器を示す斜視図である。
【００１３】
また、図１０は本発明の音楽機能付きクレードル装置の第１の実施の例を構成物品毎に分解した説明図、図１１は音楽機能付きクレードル装置の上部ケースと充電台カバーを取り除くと共に厚みの薄い携帯音楽機器を装着した状態の要部平面図、図１２は同じく要部正面図、図１３は同じく中央部断面図、図１４は同じく厚みの厚い携帯音楽機器を装着した状態の要部平面図、図１５は同じく要部正面図、図１６は同じく中央部断面図、図１７は音楽機能付きクレードル装置のサポートバーを前進させた状態の要部平面図、図１８は同じく要部正面図、図１９は同じく中央部断面図、図２０はサポートバーを後退させた状態の要部平面図、図２１は音楽機能付きクレードル装置のコネクタを充電台の中央の第１の位置に配置した状態の要部平面図、図２２は同じく断面図、図２３はコネクタを充電台の第２の位置に移動した状態の要部平面図、図２４は同じく要部正面図、図２５はシャーシとスライドベースと段付きねじとの関係を示す説明図、図２６Ａ〜Ｃはシャーシとスライドベースと鋼球と板ばねとの関係を示す説明図、図２７Ａ〜Ｃは支持部材の動作を説明する説明図、図２８Ａ〜Ｃは支持部材の第２〜第４の実施の例を示す説明図である。
【００１４】
（１）音響システムの全体構成
図１において、符号１は、全体として２．１チャンネルの音響システムを示している。この音響システム１は、音楽再生機能付き携帯電話機（後述する）を充電するメインユニットである音楽機能付きクレードル装置２と、その音楽機能付きクレードル装置２に対して所定電圧レベルの直流電力を供給するための電源アダプタであるＡＣ(Alternating Current)アダプタ３と、そのＡＣアダプタ３と音楽機能付きクレードル装置２を電気的に接続するＤＣ(Direct Current)ケーブル４によって構成されている。
【００１５】
ＡＣアダプタ３は、図示しない商用交流電源に接続されたＡＣプラグ５から供給されるＡＣ１００[Ｖ]をＤＣ１２[Ｖ]に変換し、そのＤＣ１２[Ｖ]の直流電力をＤＣケーブル４経由で音楽機能付きクレードル装置２へ供給することにより、その音楽機能付きクレードル装置２を動作させるようになされている。
【００１６】
（２）音楽機能付きクレードル装置の構成及び作用
次に、音楽機能付きクレードル装置２について詳細に説明する。この音楽機能付きクレードル装置２は、図１〜３に示すように、本体部１０と充電台１２とコネクタ１３等を備えて構成されている。本体部１０は、前述したように上部ケース１１と下部ケース２３と左右の側部ケース２４Ａ，２４Ｂとシャーシ５５等を備えて構成されている。そして、上部ケース１１と下部ケース２３と左右の側部ケース２４Ａ，２４Ｂとによって三角柱状の中空の筐体からなる外装ケースが構成されている。
【００１７】
上部ケース１１は、前方に傾斜した前面部１１ａと後方に傾斜した後面部１１ｂとを有しており、前面部１１ａの長手方向の略中央下部には、開口された下面に連通される切欠き部５６が設けられている。上部ケース１１の切欠き部５６は、ドーム状に切除された凹部として形成されており、この切欠き部５６には充電台１２の充電台カバー６１が装着される。充電台カバー６１の下面には、下部ケース２３に設けたテラス部５７が重ね合わされる。図１０に示すように、下部ケース２３は、略長方形をなす薄い板状の部材からなり、その幅方向の一側であって長手方向の略中央に、略半円形をなして側方に突出するテラス部５７が設けられている。
【００１８】
この下部ケース２３の外縁に、上部ケース１１の前後の下端縁と左右の側部ケース２４Ａ，２４Ｂの下端縁と充電台カバー６１の下端縁とが重ね合わされる。これらの各ケースを図示しない複数の固定ねじで締め付け固定することにより、外装ケースが組立・分解可能に構成されている。上部ケース１１及び左右の側部ケース２４Ａ，２４Ｂの材質としては、例えば、ステンレス合金やアルミニウム合金等の金属が好適であるが、エンジニアリングプラスチックを用いることができることは勿論である。また、下部ケース２３の材質としては、例えば、ＡＢＳ（アクリロニトリル・ブタジエン・スチレン樹脂）等のエンジニアリングプラスチックが好適であるが、ステンレス合金やアルミニウム合金等の金属を用いることもできる。
【００１９】
図１０等に示すように、下部ケース２３の上面には、周囲を縁取るようにして凹陥部２３ａが設けられている。この凹陥部２３ａには、金属製の薄い板材からなるシャーシ５５が載置されている。シャーシ５５は、中央部に設けた充電台支持部５８と、この充電台支持部５８の左右に連続させて対称形状に設けた左右のスピーカ取付部５９Ｌ，５９Ｒとを有している。充電台支持部５８と左右のスピーカ取付部５９Ｌ，５９Ｒには、シャーシ５５を下部ケース２３にねじ止めするためのねじ孔５９ａがそれぞれ設けられている。これらのねじ孔５９ａに対応して下部ケース２３には、シャーシ５５にねじ止めするための挿通孔２３ｂが同数設けられている。
【００２０】
シャーシ５５のスピーカ取付部５９Ｌ，５９Ｒには、前述した左右のスピーカ１４，１５が載置されており、図示しない複数の固定ねじでそれぞれ締付固定されている。また、充電台支持部５８は、シャーシ５５の長手方向の中央において幅方向の一側へ突出するように設けられている。この充電台支持部５８には、スライドベース６３が摺動可能に支持されていると共に、ガイドブロック６４が固定されている。
【００２１】
スライドベース６３は、略長方形をなす薄い板状の部材からなっている。このスライドベース６３には、真っ直ぐな第１の辺６３ａと、この第１の辺６３ａと平行をなす摺動動作の基準となる２つのガイド穴６５，６５と、１つの保持穴６６とが設けられている。保持穴６６には、スライドベース６３がスライド動作する際のクリック感を生じさせる球体の一具体例を示す鋼球６７が転動自在に収納されている。球体の材質として、この実施例で示した鋼材に限られるものではなく、他の金属を用いることができることは勿論のこと、十分な強度を有するものであればエンジニアリングプラスチックを用いることもできる。
【００２２】
スライドベース６３の２つのガイド穴６５，６５は、摺動方向へ所定の間隔をあけて横並びに設けられている。２つのガイド穴６５，６５には、２つの段付きねじ６８の各軸部がそれぞれ摺動可能に嵌合されている。これら３つの段付きねじ６８は、充電台支持部５８に設けた３つのねじ孔６９にねじ軸を螺合することによって締付固定されている。この３つの段付きねじ６８にガイドされてスライドベース６３は、ガイド穴６５に嵌合されている２つの段付きねじ６８が移動可能な範囲内で、シャーシ５５の長手方向（本体部１０の左右方向）へスライド動作可能とされている。
【００２３】
スライドベース６３には、コネクタ１３が実装された配線基板７１が搭載されている。配線基板７１には、上方へ接続口を突出させた状態でコネクタ１３が固定されており、その配線基板７１に形成された配線回路にコネクタ１３の充電台用接続端子が接続され、電気的に導通可能とされている。コネクタ１３は、シャーシ５５の充電台支持部５８と反対側へ所定角度（例えば、１０〜３０度。但し、本発明は、この傾斜角度に限定されるものではない。）傾くように設けられている。
【００２４】
更に、コネクタ１３には、エスカッション７２が着脱可能に装着されている。エスカッション７２は、コネクタ１３の基部を囲うように覆う角錐形状をなすスカート部７２ａと、このスカート部７２ａの下端から側方へ突出するように形成された枠状のフランジ部７２ｂとを有している。
【００２５】
また、スライドベース６３の保持穴６６は、２つのガイド穴６５，６５の間であって、第１の辺６３ａからガイド穴６５までの距離よりも離れた位置に設けられている。この保持穴６６に対応するシャーシ５５の、スライドベース６３の摺動方向の両端における保持穴６６と対向する位置には、鋼球６７の移動によってクリック感を生じさせる２つの長穴７４，７４が設けられている。
【００２６】
シャーシ５５の充電台支持部５８の先端縁は、下部ケース２３のテラス部５７に対応させて円弧状に形成されている。この充電台支持部５８において、スライドベース６３と反対側には、ガイドブロック６４が２本の固定ねじ９１，９１で締め付けられてシャーシ５５に固定されている。そのため、充電台支持部５８の所定位置には、固定ねじ７５が螺合される２つのねじ孔７６，７６が設けられている。
【００２７】
ガイドブロック６４は、支持部材の第１の具体例を示すサポートバー８１を、スライドベース６３のスライド方向と直交する方向（本体部１０の前後方向）へ進退移動可能に支持する部材である。また、サポートバー８１は、コネクタ１３に接続された携帯音楽機器を、側方である背面側から支えるように支持する部材である。このサポートバー８１は、ガイドブロック６４によって本体部１０の前後方向へ摺動可能に支持されるガイド部８２と、このガイド部８２に連続して設けられると共にそのガイド部８２から離れた位置で携帯音楽機器に側方から接触してその携帯音楽機器を支える接触部８３と、を有している。
【００２８】
サポートバー８１のガイド部８２は、互いに平行に配置された２本のガイド軸８２，８２とされている。この２本のガイド軸８２，８２の先端（一端）に逆Ｖ字形に形成された接触部８３の一具体例を示す折り曲げ軸８３が連続して設けられている。折り曲げ軸８３は、２本のガイド軸８２，８２の軸方向と交差する方向に所定の角度で傾斜されている。この折り曲げ軸８３が２本のガイド軸８２，８２となす傾斜角度は、コネクタ１３の傾斜角度と同等の角度に設定することが好ましい。この実施例では、接触部である折り曲げ部８３の先端は、携帯音楽機器の背面に点接触することになる。なお、折り曲げ軸８３は、この実施例では逆Ｖ字形状に形成したが、本発明は、これに限定されるものではなく、例えば、逆Ｕ字形状、ペン先形状、その他の形状を適用できることは勿論である。
【００２９】
また、サポートバー８１は、この実施例では、断面形状が円形をなす針金状の部材を折り曲げることによって形成したが、その断面形状は、円形に限定されるものではなく、楕円形、四角形、六角形、八角形その他各種形状のものを適用することができる。更に、支持部材は、針金状の部材を折り曲げて形成したサポートバー８１に限定されるものでもなく、例えば、ブックエンドのような板状の部材を用いることができることは勿論である。なお、サポートバー８１の材質としては、例えば、鋼材等の金属に防錆のメッキ処理を施したものが好適であるが、メッキ処理のない金属であってもよく、また、強度が十分に高いものであれば、エンジニアリングプラスチックを用いることもできる。
【００３０】
ガイドブロック６４は、左右対称をなす形状とされており、２本のガイド軸８２，８２が摺動可能に挿通される２つの軸受部８４，８４と、両軸受部８４，８４間を連結して一体に設けられた連結部８５とを有している。２つの軸受部８４，８４は、それぞれ前後方向に所定の隙間をあけて設けた前軸受片８４ａ及び後軸受片８４ｂを有している。これら前後の軸受片８４ａ，８４ｂには、それらの軸心線を共通にする軸受穴８６が前後方向へ貫通するように設けられている。更に、各軸受部８４には、軸受穴８６と直交する方向に延在された挿通穴８７がそれぞれ設けられている。これらの挿通穴８７に挿通される固定ねじ９１のねじ軸部をシャーシ５５のねじ孔７６に螺合して締め付けることにより、ガイドブロック６４がシャーシ５５に固定されている。
【００３１】
ガイドブロック６４の連結部８５は、前後の軸受片８４ａ，８４ｂよりは高くないが、軸受部８４の固定部よりも高く形成されている。この連結部８５には、軸受穴８６と直交する方向に延在された２つのねじ穴８８が設けられている。これらのねじ穴８８に螺合される固定ねじ９２によって付勢部材の一具体例を示す板ばね９５がガイドブロック６４に締付固定されている。板ばね９５は、ガイドブロック６４に固定するための固定部９５ａと、この固定部９５ａの長手方向両側に連続して設けた軸付勢部９５ｂ，９５ｂと、固定部９５ａの長手方向と直交する幅方向の一側に連続して設けた球付勢部９５ｃとを有している。
【００３２】
板ばね９５の固定部９５ａは、ガイドブロック６４の連結部８５に見合う大きさとされており、固定ねじ９２によってガイドブロック６４に固定されている。このとき、固定部９５ａの両側に形成された２つの軸付勢部９５ｂ，９５ｂは、ガイドブロック６４の各軸受部８４の前後の軸受片８４ａ，８４ｂ間に介在されている。そして、前後の軸受片８４ａ，８４ｂを前後方向に貫通するサポートバー８１の２本のガイド軸８２，８２をそれぞれ上方から下方へ向けて付勢している。この板ばね９５の軸付勢部９５ｂの付勢力に基づくガイド軸８２と前後の軸受片８４ａ，８４ｂの軸受穴８６，８６との間に生じる摩擦力により、サポートバー８１がその位置で固定される。
【００３３】
また、板ばね９５の球付勢部９５ｃは、ガイドブロック６４に固定した状態において、２つの前軸受片８４ａ，８４ａ間に介在される。球付勢部９５ｃは、断面形状がＬ字状をなしており、先端側の平面部がスライドベース６３の保持穴６６を覆い、その保持穴６６内に収納されている鋼球６７を上方から下方へ向けて付勢している。
【００３４】
充電台カバー６１は、下部ケース２３のテラス部５７の上に重ね合わされる略半円形をなすベース部１０１と、このベース部１０１の背面側に連続された衝立部１０２とを有している。ベース部１０１の略中央には、携帯音楽プレーヤ６Ａや音楽再生機能付き携帯電話機６Ｂ等の携帯音楽機器が載置される載置部１０１ａが設けられている。載置部１０１ａは、コネクタ１３の傾斜角度と略同程度の角度によって後方へ傾斜されており、コネクタ１３に装着された携帯音楽機器の下面の広い部分と接触可能に構成されている。この載置部１０１ａには、シャーシ５５の充電台支持部５８に設置されたコネクタ１３が貫通する貫通穴１０３が設けられている。
【００３５】
充電台カバー６１のベース部１０１に設けた貫通穴１０３は、スライドベース６３の移動距離に対応して本体部１０の左右方向へ延びる長穴として形成されている。この貫通穴１０３には、コネクタ１３に装着されたエスカッション７２のスカート部７２ａが貫通されている。そして、エスカッション７２のスカート部７２ａを貫通して、コネクタ１３の先端部がベース部１０１の上方へ突出している。この貫通穴１０３の領域内においてコネクタ１３が本体部１０の左右方向へ移動可能であって、第１の位置と第２の位置とを選択的に取り得るようになっている。
【００３６】
第１の位置は、コネクタ１３がベース部１０１の略中央に配置される位置である。また、第２の位置は、第１の位置から左右方向へ所定距離だけ移動した位置である。この実施例では、第２の位置は、音楽機能付きクレードル装置２を正面から見て、第１の位置の左側に設定されている。このようにコネクタ１３を第１の位置と第２の位置とに選択可能に移動可能に構成した理由は、端末用接続端子を有する端末用コネクタの取付位置が携帯音楽機器によって異なることによるものである。
前記ガイドブロック６４と板ばね９５とにより、コネクタ１３に対してサポートバー８１を進退移動可能であって任意の位置で固定可能な自在鉤機構が構成されている。
【００３７】
図８は、本発明に用いて好適な携帯音楽機器の第１の具体例を示すもので、携帯音楽プレーヤ６Ａを底面側から見た斜視図である。この携帯音楽プレーヤ６Ａは、厚みＴ１が比較的薄く形成された略直方体をなす中空の筐体からなる外装ケース２０１を備えている。外装ケース２０１の正面部２０１ａには、アイコンやウインドウその他を画面に表示する表示装置２０２と、その表示装置２０２に表示されたアイコンやウインドウ等を選択する円盤型の操作キー２０３が配置されている。また、外装ケース２０１の底面部２０１ｂには、携帯音楽プレーヤ６Ａと外部の携帯音楽機器（例えば、本発明の音楽機能付きクレードル装置２等）と電気的に接続するための端末用コネクタ２８Ａが配置されている。
【００３８】
携帯音楽プレーヤ６Ａの端末用コネクタ２８Ａは、音楽機能付きクレードル装置２の充電台用コネクタ１３と接続可能な雌型コネクタである。この端末用コネクタ２８Ａは、外装ケース２０１の底面部２０１ｂにおいて、その中央から長手方向の一側へ距離ｅだけ偏倚した位置に配置されている。この偏倚量ｅは、コネクタ１３の移動量に対応しており、略同一長さに設定されている。このように端末用コネクタ２８Ａの取付位置が携帯音楽プレーヤ６Ａの中心から偏倚している理由は、外装ケース２０１が薄型であって収納スペースが狭いために、バッテリー装置やその他の装置を収納するスペースとの関係から生じたものである。
【００３９】
この携帯音楽プレーヤ６Ａを音楽機能付きクレードル装置２に装着（セット）する場合には、そのコネクタ１３を、中央から一側へ偏倚した第２の位置に移動させる。このように、コネクタ１３を第２の位置にセットすることにより、端末用コネクタ２８Ａが中心から偏倚している携帯音楽プレーヤ６Ａであっても、これを音楽機能付きクレードル装置２の略中央にセットすることができ、セット時に、携帯音楽プレーヤ６Ａが中心から偏倚していることによる見た目のアンバランスを解消することができる。
【００４０】
図９は、本発明に用いて好適な携帯音楽機器の第２の具体例を示すもので、音楽再生機能付き携帯電話機６Ｂを底面側から見た斜視図である。この音楽再生機能付き携帯電話機６Ｂは、厚みＴ２が比較的厚く形成された略直方体をなす中空の筐体からなる外装ケース２１１を備えている。外装ケース２１１の正面部２１１ａには、アイコンやウインドウ、入力情報その他を画面に表示する表示装置２１２と、その表示装置２１２に表示されたアイコンやウインドウ等を選択したり所望の情報を入力するテンキー２１３が配置されている。また、外装ケース２１１の底面部２１１ｂには、音楽再生機能付き携帯電話機６Ｂと外部の携帯音楽機器（例えば、本発明の音楽機能付きクレードル装置２等）と電気的に接続するための端末用コネクタ２８Ｂが配置されている。
【００４１】
音楽再生機能付き携帯電話機６Ｂの端末用コネクタ２８Ｂは、音楽機能付きクレードル装置２の充電台用コネクタ１３と接続可能な雌型コネクタである。この端末用コネクタ２８Ｂは、外装ケース２１１の底面部２１１ｂにおいて、その中央と略一致するように中央位置に配置されている。このように端末用コネクタ２８Ｂの取付位置が音楽再生機能付き携帯電話機６Ｂの中心と一致している理由は、外装ケース２１１が厚型であって収納スペースが広いために、バッテリー装置やその他の装置を収納するスペースに比較的余裕があるからである。
【００４２】
この音楽再生機能付き携帯電話機６Ｂを音楽機能付きクレードル装置２に装着（セット）する場合には、そのコネクタ１３を、中央に設定された第１の位置に移動させる。このように、コネクタ１３を第１の位置にセットすることにより、端末用コネクタ２８Ｂが中心と一致している音楽再生機能付き携帯電話機６Ｂを音楽機能付きクレードル装置２の略中央にセットすることができ、セット時に、音楽再生機能付き携帯電話機６Ｂが中心から偏倚していることによる見た目のアンバランスが生ずるのを防止することができる。
【００４３】
また、充電台カバー６１の衝立部１０２は、上部ケース１１の切欠き部５６に見合う形状とされている。即ち、衝立部１０２は、上部ケース１１への組立時、その切欠き部５６を同様の面形状によって塞ぐことができる形状とされている。具体的には、衝立部１０２は、上部ケース１１の前面部１１ａと同じ曲面によって後方へ傾斜されている。衝立部１０２の背面には、前面部１１ａに設けた切欠き部５６の縁を衝立部１０２との間で保持する保持部１０５が設けられている。
【００４４】
更に、衝立部１０２には、サポートバー８１の２本のガイド軸８２，８２が挿通される２つのガイド穴１０６，１０６が設けられている。２つのガイド穴１０６，１０６は、２本のガイド軸８２，８２の間隔と略同じ距離を保って平行に設けられている。この２つのガイド穴１０６，１０６の高さは、ガイドブロック６４に設けた左右２組の軸受穴８６，８６の高さと略同一の高さに設定されている。
【００４５】
下部ケース２３と充電台カバー６１とエスカッション７２の材質としては、例えば、ＡＢＳ等のエンジニアリングプラスチックが好適であるが、アルミニウム合金や鉄鋼その他の金属を用いることもできる。シャーシ５５とスライドベース６３の材質としては、例えば、電気亜鉛メッキ鋼板（ＳＥＣＣ），ステンレス鋼板（ＳＵＳ），構造用鋼板等の金属が好適であるが、ＡＢＳ等のエンジニアリングプラスチックを用いることもできる。段付きねじ６８とサポートバー８１と板ばね９５の材質としては、例えば、ステンレス鋼（ＳＵＳ）が好適である。また、ガイドブロック６４の材質としては、例えば、ポリアセタール（ＰＯＭ）等のエンジニアリングプラスチックが好適である。
【００４６】
次に、前述したような構成を有する音楽機能付きクレードル装置２の組立工程を説明する。この音楽機能付きクレードル装置２は、例えば、次のような工程を経ることによって簡単に組み立てることができる。まず、シャーシ５５の充電台支持部５８にスライドベース６３を取り付ける。スライドベース６３には、予め配線基板７１を取り付けておき、その配線基板７１にはコネクタ１３を実装しておくようにする。そして、充電台支持部５８にスライドベース６３を載置した後、スライドベース６３の２つのガイド穴６５，６５にそれぞれ段付きねじ６８のねじ軸部を差し込み、先端のねじ部をねじ孔７６にそれぞれ螺合させて締付固定する。
【００４７】
これと共に、第３の段付きねじ６８を、充電台支持部５８の先端側に位置するねじ孔７６に螺合し、ねじ軸部の外周面をスライドベース６３の第１の辺６３ａに接触させる。これにより、スライドベース６３がシャーシ５５に対して、予め設定された所定の範囲内で直線的にスライド可能に支持される。そして、スライドベース６３の保持穴６６に鋼球６７を収納する。
【００４８】
次に、充電台支持部５８のスライドベース６３の背面側に、ガイドブロック６４を配置し、２本の固定ねじ９１，９１で締付固定する。これは、ガイドブロック６４の２つの軸受部８４，８４に設けた挿通穴８７に固定ねじ９１のねじ軸部を挿通し、その先端をねじ孔７６に螺合させて締付固定することによってなされる。その後、ガイドブロック６４に板ばね９５を重ね合わせ、この板ばね９５の両側部に設けた２つの軸付勢部９５ｂ，９５ｂを各軸受部８４に設けた前後の軸受片８４ａ，８４ｂ間に介在させると共に、先部に設けた球付勢部９５ｃでスライドベース６３の保持穴６６を塞ぐようにする。これにより、保持穴６６に保持されている鋼球６７が、球付勢部９５ｃの付勢力によってシャーシ５５に押圧される。
【００４９】
この際、充電台支持部５８の鋼球６７と対応する位置には２つの長穴７４，７４が所定間隔をあけて設けられている。そのため、鋼球６７は２つの長穴７４，７４のいずれか一方に嵌まり込み、スライドベース６３を適度な力でロックしている。この２つの長穴７４，７４の位置が、コネクタ１３を所定の力で保持する第１の位置及び第２の位置となっている。そして、鋼球６７が１つの長穴７４を飛び出して他の長穴７４に入り込む際の力により、第１の位置と第２の位置との間でコネクタ１３の位置を切り替える際のクリック感を生じさせている。
【００５０】
次に、スライドベース６３とガイドブロック６４が組み立てられたシャーシ５５を、下部ケース２３の凹陥部２３ａ内に収納する。そして、スライドベース６３に固定されているコネクタ１３にエスカッション７２を装着した後、テラス部５７に充電台カバー６１を重ね合わせる。この重ね合わせの状態で、下部ケース２３を上部ケース１１に組み立てる。この際、上部ケース１１の内部には、左右のスピーカ１４，１５と、所定の制御回路が実装されている配線基板１１０その他の必要な装置、機構等を予め収納しておくようにする。
【００５１】
その後、図２に示すように、上部ケース１１の下方に下部ケース２３を臨ませ、充電台カバー６１の衝立部１０２を上部ケース１１の切欠き部５６に嵌め合わせる。そして、所定の数の固定ねじを用いて下部ケース２３と上部ケース１１を、下部ケース２３の下側から締付固定する。これにより、図１に示すように、前面の略中央に充電台を設けた音楽機能付きクレードル装置２の組立作業が完了する。
【００５２】
このように組み立てられた音楽機能付きクレードル装置２は、例えば、図６及び図７に示すようにして使用することができる。図６は、図８に示したような構成を有する携帯音楽プレーヤ６Ａを、音楽機能付きクレードル装置２の充電台１２に設けたコネクタ１３に接続した状態を示すものである。この場合、携帯音楽プレーヤ６Ａの端末側コネクタ２８Ａは、外装ケース２０１の中心から幅方向の一側へ距離ｅだけ偏倚した位置に設けられている。そのため、充電台１２のコネクタ１３は、充電台１２の中心から一側へ偏倚した位置である第２の位置に移動させておくようにする。
【００５３】
これにより、コネクタ１３とコネクタ２８Ａの結合位置は充電台１２の中心から一側へ距離ｅだけ偏倚しているが、外装ケース２０１を充電台１２の中心、即ち、音楽機能付きクレードル装置２の中央に配置することができる。そのため、充電台１２への装着時における、見た目のアンバランスが生ずるのを防止して、携帯音楽プレーヤ６Ａを音楽機能付きクレードル装置２の中央にバランスよくセットすることができる。
【００５４】
また、図７は、図９に示したような構成を有する音楽再生機能付き携帯電話機６Ｂを、音楽機能付きクレードル装置２の充電台１２に設けたコネクタ１３に接続した状態を示すものである。この場合、音楽再生機能付き携帯電話機６Ｂの端末側コネクタ２８Ｂは、外装ケース２１１の中心と略一致した位置に設けられている。そのため、充電台１２のコネクタ１３は、中央の第１の位置に移動させて同じく充電台１２の中心にセットしておくようにする。
【００５５】
これにより、充電台１２の中心に音楽再生機能付き携帯電話機６Ｂを配置することができる。そのため、充電台１２への装着時における、見た目のアンバランスが生ずるのを防止して、音楽再生機能付き携帯電話機６Ｂを音楽機能付きクレードル装置２に対してバランスよくセットすることができる。
【００５６】
これらの場合において、携帯音楽プレーヤ６Ａや音楽再生機能付き携帯電話機６Ｂの背面は、図１１〜図１６で示すように、支持部材の一具体例を示すサポートバー８１の接触部である折り曲げ部８３で背面側から支えるようにする。この場合、充電台１２に装着される携帯音楽機器が、例えば、外装ケースの厚みが薄い携帯音楽プレーヤ６Ａである場合には、図１３に示すように、サポートバー８１を前進させ、折り曲げ部８３の略全体が携帯音楽プレーヤ６Ａの背面の略全体に接触するようにサポートバー８１の固定位置を調整する。また、充電台１２に装着される携帯音楽機器が、例えば、外装ケースの厚みが厚い音楽再生機能付き携帯電話機６Ｂである場合には、図１６に示すように、サポートバー８１を後退させ、折り曲げ部８３の略全体が音楽再生機能付き携帯電話機６Ｂの背面の略全体に接触するようにサポートバー８１の固定位置を調整する。
【００５７】
このように、充電台１２に載置される携帯音楽機器の厚さが異なっている場合や、携帯音楽機器のコネクタから支持される背面までの距離が異なる場合、或いは携帯音楽機器の外形に対して接続コネクタの左右方向の位置が異なる場合の複数機種を載置する場合においても、支持部材の調整が容易であって、デザイン的にも優れた音楽機能付きクレードル装置を提供することができる。
【００５８】
図１１〜図１３は、充電台１２に携帯音楽プレーヤ６Ａを載置した状態を示している。この場合、携帯音楽プレーヤ６Ａの厚みＴ１は薄く、しかも、コネクタ１３の中心から外装ケース２０１の背面までの距離Ｓ１が短くなっている。更に、外装ケース２０１の中心ＴＣに対してコネクタ１３の中心Ｃ０が、距離ｅだけ左側に偏倚（オフセット）している。図１７〜図１９は、図１１〜図１３に対応しており、支持部材であるサポートバー８１の動作を説明する図である。即ち、図１７は、シャーシ５５に固定されたガイドブロック６４と、このガイドブロック６４に摺動可能に支持されたサポートバー８１と、このサポートバー８１の２本のガイド軸８２，８２を付勢する板ばね９５を表した平面図である。また、図１８は、同じくガイドブロック６４とサポートバー８１と板ばね９５を表した正面図、図１９は同じく側面図である。
【００５９】
また、図１４〜図１６は、充電台１２に音楽再生機能付き携帯電話機６Ｂを載置した状態を示している。この場合、音楽再生機能付き携帯電話機６Ｂの厚みＴ２は厚く（Ｔ２＞Ｔ１）、しかも、コネクタ１３の中心から外装ケース２１１の背面までの距離Ｓ２が長くなっている（Ｓ２＞Ｓ１）。一方、外装ケース２１１の中心ＴＣに対してコネクタ１３の中心Ｃ０が一致している。図２０は、図１４〜図１６に対応しており、支持部材であるサポートバー８１を後退させた状態を示す平面図である。
【００６０】
次に、図１７〜図２０を参照して、サポートバー８１の動作について説明する。サポートバー８１の２本のガイド軸８２，８２は、ガイドブロック６４の２つの軸受部８４，８４の前後の軸受片８４ａ，８４ｂによってそれぞれ摺動可能に支持されている。これと同時に、板ばね９５の２つの軸付勢部９５ｂ，９５ｂによって付勢力ＰＳが加えられている。そのため、サポートバー８１が摺動するときには、ガイド軸８２と２つの挿通孔８６，８６との間の摩擦係数μ１と、ガイド軸８２と板ばね９５の軸付勢部９５ｂとの間の摩擦係数μ２とによって抗力ＦＲが発生する。
【００６１】
いま、図１９に示すように、サポートバー８１の２本のガイド軸８２，８２付近に、矢印Ａ方向又は矢印Ｂ方向に力ＦＡ又は力ＦＢを加えるものとする。この場合には、サポートバー８１は、適度な大きさの摩擦抵抗によるロスを保ちつつ、容易に移動して、任意の位置に位置調整することができる。
【００６２】
ここで、図１２及び図１５に示すように、充電台側のコネクタ１３に携帯音楽プレーヤ６Ａ又は音楽再生機能付き携帯電話機６Ｂを接続し、その背面をサポートバー８１の接触部である折り曲げ部８３によって側方から支持する。そして、携帯音楽プレーヤ６Ａ及び音楽再生機能付き携帯電話機６Ｂの上部に設けられている操作キー２０３又は２１３を操作するために押圧したものとする。そうすると、後述する理由によって、サポートバー８１の２本のガイド軸８２，８２は、ガイドブロック６４の２つの軸受部８４，８４の前後の軸受片８４ａ，８４ｂによって、いわゆる「食い込み」状態になり、強固に固定される。
【００６３】
その結果、携帯音楽プレーヤ６Ａ等の操作キー２０３等を押圧した力は、サポートバー８１によって確実に受け止められ、携帯音楽プレーヤ６Ａ等を後方へ移動することなく、操作キー２０３等を操作する力として使われる。そのため、操作キー２０３等を確実に操作できると共に、操作フィーリングを非常に良いものとすることができる。また、携帯音楽プレーヤ６Ａ等の下部に内蔵されている端末側コネクタ２８Ａ又は２８Ｂに対して無理な機械的力が作用しないため、そのコネクタ２８Ａ等の破損を防ぐことができる。
【００６４】
今、仮にサポートバー８１が無い状態を考えると、携帯音楽プレーヤ６Ａの操作キー２０３を押圧した力は、携帯音楽プレーヤ６Ａを後方へ移動させることに使われる。そのため、操作キー２０３を押圧したとしても、携帯音楽プレーヤ６Ａを後方へ移動させるのみで終わってしまうか、或いは、場合によっては携帯音楽プレーヤ６Ａを後方へ移動させつつ、かろうじて操作キー２０３を押圧する力として使われる。その結果、非常に操作フィーリングの悪いものになってしまう。しかも、端末側コネクタ２８Ａに対して無理な機械的力が作用するので、充電台側コネクタ１３や端末側コネクタ２８Ａの破損を招くおそれも考えられる。
【００６５】
このように、本発明の音楽機能付きクレードル装置２によれば、支持部材であるサポートバー８１の位置を調整するときは、サポートバー８１のガイド部である２本のガイド軸８２，８２の近傍を操作することにより、そのサポートバー８１を任意の位置に容易に移動することができる。また、携帯音楽プレーヤ６Ａ等を充電台１２に載置支持したときにはサポートバー８１が強固に固定され、携帯音楽プレーヤ６Ａ等の操作キー２０３等を押圧操作したときにはコネクタ１３，２８Ａ，２８Ｂに無理な力を作用させることがない。そのため、コネクタ１３，２８Ａ，２８Ｂの破損を防ぐことができると共に、フィーリング良く操作キー２０３，２１３を押圧操作することを可能とすることができる。
【００６６】
次に、サポートバー８１やガイドブロック６４等の各部材に加わる力量関係について物理的に説明する。今、説明を簡略化するために、本来サポートバー８１の左右２箇所にあるガイド軸８２を１箇所にあるものと考える。サポートバー８１の左右２つのガイド部の支持構造は同一であるため、その部分の力量関係は、左右の軸受部に挿通している２つのガイド軸８２，８２に、サポートバー８１全体に加わる半分の力が作用していると考えることができる。
以後、特別に説明のない限り、力量関係の説明については軸受部の１箇所について説明する。
【００６７】
今、サポートバー（支持部材）８１に力２ＦＡが加わるとすると、一方のガイド軸８２には力ＦＡが加わる。
ここで、説明を容易にするために、サポートバー８１に加わる力の作用を３種類に分けて説明する。その１は、ガイド軸８２の軸受穴８６の中心線上に力を加える場合（回転モーメントが発生しない場合）、その２は、ガイド軸８２の軸受穴８６の中心線から離れた位置に力を加える場合（回転モーメントが発生する場合、そのうち、その１において板ばねのばね力が無い場合）、その３は、ガイド軸８２の軸受穴８６の中心線から離れた位置に力を加える場合（回転モーメントが発生する場合、そのうち、その２において板ばねのばね力が有る場合）である。
【００６８】
その１．ガイド軸８２の軸受穴８６の中心線上に力を加える場合（回転モーメントが発生しない場合）
図１９及び図２７Ａにおいて、サポートバー８１の下部に、ガイドブロック６４の前後の軸受片８４ａ，８４ｂに設けた各軸受穴８６，８６の中心線の延長線上に矢印Ａの方向に向かう力ＦＡを加えると、その力ＦＡが抗力ＦＲ以上である場合、サポートバー８１は矢印Ａ方向に移動する。
【００６９】
この場合、図２７Ａにおいて、サポートバー８１の支持部には、板ばね９５によるガイド軸８２に対する付勢力ＰＳと、サポートバー８１の自重Ｗが軸受穴８６の下面に加わっている。このときガイドブロック６４は、付勢力ＰＳと自重Ｗを受けても下方に移動することがなく釣り合っているため、それぞれの軸受穴８６の下面には反力Ｒ１及び反力Ｒ２が加わっている。この反力Ｒ１及びＲ２は、Ｒ１＋Ｒ２＝ＰＳ＋Ｗとなる。
【００７０】
また、ガイド軸８２と軸受穴８６との間に生ずる摩擦係数をμ１とし、ガイド軸８２と板ばね９５との間に生ずる摩擦係数をμ２とすると、抗力ＦＲは、
ＦＲ＝μ１・Ｒ１＋μ１・Ｒ２＋μ２・ＰＳ
＝μ１（Ｒ１＋Ｒ２）＋μ２・ＰＳ
となる。ここで、Ｒ１＋Ｒ２＝ＰＳ＋Ｗであるから、
ＦＲ＝μ１（ＰＳ＋Ｗ）＋μ２・ＰＳ
となる。
自重Ｗよりも板ばね９５による付勢力ＰＳが遥かに大きい場合は、Ｗ＜＜ＰＳとなって、
ＦＲ＝ＰＳ（μ１＋μ２）  ・・・・・（１）
となるので、抗力ＦＲは、板ばね９５による付勢力ＰＳと摩擦係数μ１，μ２によって決まる。
【００７１】
実際の作用においては、サポートバー８１を携帯音楽機器の外形に合わせて調整する場合、サポートバー８１の下部を押し引きすることによって、サポートバー８１を容易に任意の位置に移動することが可能となる。しかも、板ばね９５によって発生する摩擦抵抗に基づく適度なロスにより、調整時に移動し過ぎることもない。更に、調整を終了した場合に、そのままの状態を維持し続ける効果も合わせて持っているので、従来例に比べて非常に調整がし易いという効果がある。
【００７２】
その２．ガイド軸８２の軸受穴８６の中心線から離れた位置に力を加える場合（回転モーメントが発生する場合、そのうち、その１において板ばねのばね力が無い場合）
実際の具体的実施例では、回転モーメントＭ１と板ばね９５の作用が関係しているが、ここでは理解を容易にするため、板ばね９５の無い状態を考え、回転モーメントＭ１のみの作用を考える。
【００７３】
図２７Ｂにおいて、サポートバー８１のガイド軸８２を支持する軸受穴８６の中心線から距離Ｌ１だけ離れた位置に力ＦＣを加えると、回転モーメントＭ１が発生する。サポートバー８１は、ガイド軸８２が軸受穴８６によって軸方向へ摺動自在に支持されている一方、回転方向には２箇所の軸受部８４，８４によって規制されているので、サポートバー８１が回転することはない。従って、サポートバー８１には、回転モーメントＭ１と同等の回転モーメントＭＲが２箇所の軸受部８４，８４に発生し、その反力によって釣り合いが保たれている、と考えられる。
【００７４】
このとき、外部から加えた力ＦＣによって発生する回転モーメントＭ１は、
Ｍ１＝ＦＣ・Ｌ１
であり、前後に位置する２つの軸受穴８６，８６の間に、仮に回転中心Ｏを考える。そして、２つの軸受穴８６，８６の間の距離をＬ２、前側軸受穴８６と回転中心Ｏとの距離をＸ、回転中心Ｏと後側軸受穴８６との距離をＬ２−Ｘとすると、各軸受穴８６，８６における反力Ｒ１及び反力Ｒ２による回転モーメントＭＲは、
ＭＲ＝Ｘ・Ｒ１＋（Ｌ２−Ｘ）・Ｒ２
となる。
【００７５】
また、ガイドブロック６４は移動しないので、反力Ｒ１と反力Ｒ２は釣り合っている。即ち、
Ｒ１＝Ｒ２
である。よって、
ＭＲ＝Ｌ２・Ｒ１＝Ｌ２・Ｒ２
である。これが回転モーメントＭ１と釣り合っているから、
Ｍ１＝ＭＲ
Ｍ１＝Ｌ２・Ｒ１＝Ｌ２・Ｒ２
である。よって、
Ｒ１＝Ｒ２＝Ｍ１／Ｌ２＝（Ｌ１／Ｌ２）ＦＣ
となる。
【００７６】
更に、ガイド軸８２と軸受穴８６との間に生ずる摩擦係数をμ１とすると、
ＦＲ＝μ１・Ｒ１＋μ１・Ｒ２
＝２μ１・Ｒ１
＝２μ１（Ｌ１／Ｌ２）ＦＣ
となる。よって、２μ１（Ｌ１／Ｌ２）が１以上であると、外部から力ＦＣを加えれば加える程、サポートバー８１が動かなくなる。いわゆる「食い込み現象」が起きて、サポートバー８１は外部からの力ＦＣによっては動かなくなる。
【００７７】
ここで、Ｌ１＝Ｌ２の場合を考えると、
Ｒ１＝Ｒ２＝ＦＣ
ＦＲ＝２μ１・ＦＣ
となる。従って、摩擦係数μ１の値が０．５以上であると、サポートバー８１は、食い込み現象が生じて動かなくなる。
【００７８】
その３．ガイド軸８２の軸受穴８６の中心線から離れた位置に力を加える場合（回転モーメントが発生する場合、そのうち、その２において板ばねのばね力が有る場合。これにより、自在鉤機構の機能が発揮される。）
その２の状態から、更に、板ばね９５による付勢力ＰＳを加えた場合を考える。
【００７９】
図２７Ｃにおいて、サポートバー８１のガイド軸８２を支持する前後２つの軸受穴８６，８６の中間地点に板ばね９５による付勢力ＰＳが付加されたとする。この場合、回転モーメント的には、その２で説明している２つの軸受穴８６，８６の間の回転中心Ｏを板ばね９５による付勢力ＰＳの印加点と考えると、この板ばね９５の付勢力ＰＳによる回転モーメントは考えなくてよくなり、結果としてその２の場合と同じになる。
【００８０】
更に、サポートバー８１のガイド軸８２を支持する前後２つの軸受穴８６，８６の中間地点には、板ばね９５による付勢力ＰＳが加わっており、各軸受穴８６にはそれぞれＰＳ／２の力が加わる。このとき、後側の反力Ｒ２にはＰＳ／２が加わり、一方、前側の反力Ｒ１にはＰＳ／２が差し引かれる。そのため、付勢力ＰＳが印加された後の反力を、それぞれＲ１´、Ｒ２´とすると、
Ｒ１´＝Ｒ１−ＰＳ／２
Ｒ２´＝Ｒ２＋ＰＳ／２
となる。
【００８１】
ここで、ガイド軸８２と板ばね９５との間に生ずる摩擦係数をμ２とすると、抗力ＦＲは、
ＦＲ＝（μ１・Ｒ１´）＋（μ１・Ｒ２´）＋μ２・ＰＳ
＝μ１・Ｒ１＋μ１・Ｒ２＋μ２・ＰＳ
＝２μ１・Ｒ１＋μ２・ＰＳ
＝２μ１（Ｌ１／Ｌ２）ＦＣ＋μ２・ＰＳ
となる。
従って、この場合には、その２の状態よりも更に食い込み易い条件となる。これにより、自在鉤機構の機能が発揮される。
【００８２】
次に、充電台用コネクタ１３の動作について、図２１〜図２６を参照して詳細に説明する。図２１及び図２２は、スライドベース６３に搭載されたコネクタ１３が、音楽機能付きクレードル装置２を正面から見て右側に移動し、音楽機能付きクレードル装置２の略中央に設けた充電台１２の中心ＳＣとコネクタ１３の中心ＣＯが一致した状態を示している。また、図２３及び図２４は、コネクタ１３が、音楽機能付きクレードル装置２を正面から見て左側に移動し、充電台１２の中心ＳＣに対してコネクタ１３の中心ＣＯが距離ｅだけ左にずれた（オフセット）状態を示している。
【００８３】
図２５に示すように、シャーシ５５の充電台支持部５８には、段付きねじ６８が螺合される雌ねじ部１２１ａを有する突起部１２１が３箇所に設けられている。各突起部１２１の雌ねじ部１２１ａに段付きねじ６８のオスねじ部６８ａを螺合することにより、３個の段付きねじ６８がシャーシ５５の所定位置に固定されている。段付きねじ６８には、水平ガイド部１２２ａと上ガイド部１２２ｂが設けられている。２つの段付きねじ６８の水平ガイド部１２２ａは、スライドベース６３のガイド穴６５に摺動可能に挿通されている。また、突起部１２１の上面からなる下ガイド部１２１ｂと、段付きねじ６８の上ガイド部１２２ｂとがおりなす間隔Ｖは、スライドベース６３の板厚Ｕよりも若干大きめに形成されている。
【００８４】
このスライドベース６３が、上下方向に所定の隙間をあけて拘束されつつ、左右方向に摺動可能とされている。このスライドベース６３のガイド穴６５と段付きねじ６８との組み合わせを２箇所に設け、スライドベース６３の１つのガイドエッジ部である第１の辺６３ａと段付きねじ６８との組み合わせを１箇所に設けることにより、スライドベース６３が、上下方向（図２５においてｚ方向）及び前後方向（図２５においてｙ方向）における位置規制と、ｘ軸、ｙ軸及びｚ軸回りの回転が規制され、左右方向（図２５においてｘ方向）のみ移動可能に構成されている。
【００８５】
同じく、シャーシ５５の充電台支持部５８には、２つの長穴７４，７４が設けられている。そして、スライドベース６３には保持穴６６が設けられており、このスライドベース６３が左方向に移動したときに、保持穴６６の中心が左側に位置する長穴７４の中心と一致するようになされている。また、スライドベース６３が右方向に移動したときには、保持穴６６の中心が右側に位置する長穴７４の中心と一致するようになされている。この保持穴６６に、前述した鋼球６７が収納されている。
【００８６】
保持穴６６の直径は鋼球６７の直径よりも若干大きく形成されており、保持穴６６内で鋼球６７が、回転したり上下方向へ移動したりできるようになっている。これに対して、２つの長穴７４，７４の幅は、鋼球６７の直径よりもある程度小さく形成されており、保持穴６６の中心と長穴７４の中心が一致した場合にも、鋼球６７が長穴７４内に入り込まないようになされている。
【００８７】
このような構成において、ガイドブロック６４に固定された板ばね９５の球付勢部９５ｃが保持穴６６の上方に延在されている。この板ばね９５の球付勢部９５ｃは、鋼球６７の上部に当接され、その鋼球６７をシャーシ５５側へ付勢している。このとき、鋼球６７は、シャーシ５５に設けた長穴７４の縁に係止され、板ばね９５の付勢力によってスライドベース６３が停止された状態にある。そのため、この状態では、スライドベース６３は左右方向へ移動することができない。
【００８８】
この状態から、スライドベース６３に、例えば、右方向（ｘ方向）の力を加えて移動しようとすると、保持穴６６に僅かながらのクリアランスを持って嵌合されている鋼球６７にも右方向に向かう力が加わる。このとき鋼球６７は、板ばね９５の球付勢部９５ｃにより押圧されてシャーシ５５の一方の長穴７４に係合されて停止しているが、鋼球６７に側方（右方向）からの力が加えられることにより、板ばね９５の付勢力に抗して上方へ移動しつつ右方向にも移動する。図２６Ａ及び図２６Ｂは、この状態を示している。
【００８９】
更に、右方向の力を加えてスライドベース６３を右方向へ移動させると、今度は、他方の長穴７４の位置に鋼球６７が来たときに、板ばね９５の付勢力によって鋼球６７は、あたかも長穴７４に自ら入って行くかのようにその長穴７４に係合される。このように鋼球６７は、スライドベース６３を移動させつつ、保持穴６６の中心と長穴７４の中心が一致する位置まで移動し、その位置で停止される。図２６Ｂ及び図２６Ｃは、この状態を示している。このような鋼球６７の動作により、スライドベース６３を移動させる際のクリック感が得られ、スライドベース６３の移動を明確に認識することができる。
【００９０】
このような動作は、スライドベース６３を逆方向（左方向）へ移動させる場合も同様である。そして、同様にして鋼球６７が、スライドベース６３の保持穴６６と共に一方の長穴７４から他方の長穴７４へと移動する。その結果、同じく良好なクリック感を生じさせて、スライドベース６３の移動を明確に認識することができる。そして、節度良い動きと相まって、心地よいクリック感を伴った操作感を得ることができる。
【００９１】
かくして、図１４〜図１６及び図２１に示す状態では、充電台側コネクタ１３の中心ＣＯと音楽機能付きクレードル装置２の中心ＳＣが一致している。このように、音楽再生機能付き携帯電話機（携帯音楽機器）６Ｂの端末側コネクタ２８Ｂの中心ＴＣが音楽機能付きクレードル装置２の本体部１０の中心ＳＣに合っている場合には、この位置でコネクタ１３を使用することにより、見た目上のアンバランスを生ずることなく、デザイン上の美しさを維持することができる。
【００９２】
また、図１１〜図１３及び図２３に示す状態では、充電台側コネクタ１３の中心ＣＯが、音楽機能付きクレードル装置２の中心ＳＣに対して距離ｅだけ左にずれている（オフセット）。このように、携帯音楽プレーヤ（携帯音楽機器）６Ｂの端末側コネクタ２８Ａの中心ＴＣが音楽機能付きクレードル装置２の本体部１０の中心ＳＣに対して左に距離ｅだけずれている場合においても、このずれた位置でコネクタ１３を使用することにより、見た目上のアンバランスを生ずることなく、デザイン上の美しさを維持することができる。
【００９３】
なお、図１１〜図１６において、充電台カバー６１には角型の貫通穴１０３が設けられており、その貫通穴１０３を貫通するコネクタ１３が左右方向へ移動可能な構成となっている。この場合、コネクタ１３よりも貫通穴１０３の方が大きいため、コネクタ１３が移動すると、その反対側に穴が開いてしまうことになる。これを防ぐための部材がエスカッション７２である。このエスカッション７２は、コネクタ１３の移動範囲よりも大きなフランジ部７２ｂを有している。このエスカッション７２がコネクタ１３と一緒に移動するため、コネクタ１３が移動したときにも貫通穴１０３を完全に閉じることができ、内部を常に隠すことができる。
【００９４】
また、図２１及び図２３に示すように、シャーシ５５には、スライドベース６３の移動を検出する位置検出器１３０が設けられている。この位置検出器１３０のプローブ（検出部）１３１は、スライドベース６３の移動方向の一端に臨むように配置されている。今、図２１に示すように、スライドベース６３が右に移動すると、プローブ１３１が押圧されてスイッチがオン（ＯＮ）になる。また、図２３に示すように、スライドベース６３が左に移動すると、プローブ１３１の押圧が解除され、スイッチがオフ（ＯＦＦ）に切り替わる。この位置検出器１３０から発生するスライドベース６３の位置情報に基づいて、例えば、充電台１２に装着される携帯音楽機器の種類を音楽機能付きクレードル装置２で表示するように構成することにより、携帯音楽機器の種類を視覚によって認識することが可能となる。この位置情報の使用形態は、この実施例に限定されるものでないことは勿論である。
【００９５】
図２８Ａ〜２８Ｃは、本発明の音楽機能付きクレードル装置に係る支持部材の第２から第４までの実施の例を示している。図２８Ａに示す支持部材１４１は、支持部材の第２の実施の例を示すもので、２本のガイド軸１４２，１４２からなるガイド部と、平板状の支持板１４３からなる接触部とから構成されている。２本のガイド軸１４２，１４２は、所定の距離を隔てて互いに平行に配置されており、それぞれの一端に支持板１４３の下端部が連結されている。２本のガイド軸１４２，１４２の一端には、その先端から適度な長さの位置で折り曲げることによって連結部１４２ａが形成されている。この２本のガイド軸１４２，１４２の各連結部１４２ａに、支持板１４３が一体的に固定されている。支持板１４３は、比較的幅の広い長方形の板体からなり、広い面積で携帯音楽機器と接触できるようにしている。
【００９６】
図２８Ｂに示す支持部材１５１は、支持部材の第３の実施の例を示すもので、３本のガイド軸１５２，１５２，１５２からなるガイド部と、小片状の支持片１５３からなる接触部とから構成されている。３本のガイド軸１５２，１５２，１５２は、所定の距離を隔てて互いに平行に配置されており、それぞれの一端に支持片１５３の下端部が連結されている。３本のガイド軸１５２，１５２，１５２は、その略中間の位置で折り曲げることによって略Ｌ字状に形成されている。そして、３本のガイド軸１５２，１５２，１５２の各連結部１５２ａの先端に、支持片１５３が一体的に固定されている。
【００９７】
図２８Ｃに示す支持部材１６１は、支持部材の第４の実施の例を示すもので、２本のガイド脚１６２，１６２からなるガイド部と、平板状の支持板１６３からなる接触部とから構成されている。２本のガイド脚１６２，１６５と支持板１６３は、一体物の長い板体によって形成されている。そして、長方形をなす支持板１６３の一辺から２本のガイド脚１６２，１６５が、所定の距離を隔てて互いに平行に突出されている。更に、２本のガイド脚１６２，１６５は、支持板１６３が延在する方向と交差する方向（傾斜角度は、８０〜６０度程度が好ましいが、これに限定されるものではない。）に折り曲げられ、全体として略Ｌ字状に形成されている。また、２本のガイド脚１６２，１６５は、その断面形状が四角形とされている。
【００９８】
このような構成を有する支持部材１４１，１５１，１６１によっても、本発明によれば、前記実施例と同様の効果を得ることができる。この場合、接触部である支持板１４３、支持片１５３及び支持板１６３は、携帯音楽機器の背面に面接触又は線接触して当該携帯音楽機器を支えることになる。なお、支持部材１４１のガイド軸１４２及び支持部材１５１のガイド軸１５２の材質としては、例えば、ステンレス鋼等の金属が好適であるが、エンジニアリングプラスチックを用いることもできる。更に、支持部材１４１の支持板１４３及び支持部材１５１の支持片１５３の材質としては、例えば、エンジニアリングプラスチックが好適であるが、アルミニウム合金等の金属を用いることもできる。また、支持部材１６１の材質としては、例えば、エンジニアリングプラスチックを用いることができ、また、アルミニウム合金等の金属を用いることもできる。
【００９９】
（３）ＡＣアダプタの外観構成
図１に示すように、ＡＣアダプタ３は、その断面が台形状でなる四角柱の本体部３１を有している。本体部３１の内部には、電源アンプ部３２とサブウーファー３３が設けられている。更に、本体部３１の前面３１ａには、電源のオンオフを切り換える電源スイッチ３４と、内部に隠蔽されたサブウーファー３３のための発音ポート３５が設けられている。発音ポート３５によってサブウーファー３３から出力される低音域を一段と増大させた状態で出力することにより、音楽機能付きクレードル装置２の左用スピーカ１４及び右用スピーカ１５から出力される中高音域に対して低音域を補うようになされている。
【０１００】
このＡＣアダプタ３は、サブウーファー３３によって低音域をカバーするだけで中高音域を出力する必要がない。そのため、本体部３１の表面からサブウーファー３３を外部へ露出することのない隠蔽構造とすることができ、これにより、ＡＣアダプタ３にサブウーファー３３が内蔵されていることをユーザに対して意識させることがないようになされている。因みにＡＣアダプタ３は、サブウーファー３３のウーファー前面を本体部３１によって隠蔽した、いわゆるケルトン方式のスピーカ装置を構成しているが、ケルトン方式に限らず、バスレフ型やダブルバスレフ型等その他種々のスピーカ装置を構成するようにしても良い。
【０１０１】
（４）音楽機能付きクレードル装置の外観構成
図１に示すように、音楽機能付きクレードル装置２は、三角柱状をなす中空の本体部１０を有している。この本体部１０の長手方向における略中央部分から側方に、半円形の薄板状に形成された充電台１２が突出している。この充電台１２には、雄形のコネクタ１３が設けられている。このコネクタ１３には、後述する音楽再生機能付き携帯電話機や携帯音楽プレーヤ等の携帯音楽機器の端末用接続端子を有する雌形のコネクタが着脱可能に接続される。
【０１０２】
また、音楽機能付きクレードル装置２は、充電台１２の両側に、主に中高音域を出力する左用スピーカ１４と右用スピーカ１５が配置されている。これら左用スピーカ１４及び右用スピーカ１５が、本体部１０の内部に収納されている。本体部１０は、山形をなす上部ケース１１と、この上部ケース１１の下方に開口した下面を覆う下部ケース２３と、これら上部ケース１１及び下部ケース２３の左右に開口した側面をそれぞれ覆う左右の側面ケース２４Ａ，２４Ｂとを有している。上部ケース１１は、前方に傾斜した前面部１１ａと、後方に傾斜した後面部１１ｂと、を有している。そして、前面部１１ａには、その略全面に亘って多数の小さな孔が設けられている。多数の小さな孔は、左右のスピーカ１４，１５から出力された音を外部に放出することを主目的とするものである。
【０１０３】
更に、音楽機能付きクレードル装置２には、上部ケース１１の右側上端部にファンクションスイッチ１６と、ボリュームのアップボタン１７及びダウンボタン１８が設けられている。ファンクションスイッチ１６とアップボタン１７及びダウンボタン１８は、適当な間隔をあけて横並びに配置されている。また、上部ケースの左側上端部には、電源投入状態を示すパワー表示ＬＥＤ(Light Emitting Diode)１９と、外部の携帯音楽機器からライン入力端子（後述する）を介して接続されたことを示すラインイン表示ＬＥＤ２０と、赤外線リモコン（図示せず）を介してサラウンド機能がオン状態になったことを示すサラウンド表示ＬＥＤ２１が設けられている。
【０１０４】
なお、音楽機能付きクレードル装置２には、上部ケース１１の内側に赤外線リモコン用の受光部２２が設けられている。この受光部２２が赤外線リモコンからの制御命令を受光することにより、その制御命令に基づいて上述のサラウンド機能をオン状態にし得るようになっている。
【０１０５】
また、図３に示すように、音楽機能付きクレードル装置２は、上部ケース１１の背面右側下端部に、ＡＣアダプタ３からＤＣケーブル４を介してＤＣ１２[Ｖ]の直流電力の供給を受けるためのＤＣ入力端子２５が設けられている。そして、ＤＣ入力端子２５の隣に、外部の図示しない携帯音楽機器から音楽信号を入力するためのライン入力端子２６が設けられている。これにより、音楽機能付きクレードル装置２は、ＡＣアダプタ３からＤＣケーブル４を介してＤＣ１２[Ｖ]の直流電力の供給を受けている。
【０１０６】
この状態で、充電台１２のコネクタ１３に、携帯音楽プレーヤ６Ａや音楽再生機能付き携帯電話機６Ｂ等の携帯音楽機器が載置される。この場合、例えば、図６に示すように、充電台１２のコネクタ（雄コネクタ）１３に携帯音楽プレーヤ６Ａの下端部に設けられているコネクタ（雌コネクタ）２８Ａを接続すると、コネクタ１３の充電台用接続端子とコネクタ２８Ａの端末用接続端子とが電気的に接続される。これにより、携帯音楽プレーヤ６Ａに内蔵されている電源装置への充電が開始される。また、図７に示すように、充電台１２のコネクタ（雄コネクタ）１３に音楽再生機能付き携帯電話機６Ｂの下端部に設けられているコネクタ（雌コネクタ）２８Ｂを接続すると、コネクタ１３の充電台用接続端子とコネクタ２８Ｂの端末用接続端子とが電気的に接続される。これにより、音楽再生機能付き携帯電話機６Ｂに内蔵されている電源装置への充電が開始される。
【０１０７】
このように携帯音楽プレーヤ６Ａや音楽再生機能付き携帯電話機６Ｂの端末用接続端子と充電台１２の充電台用接続端子とが電気的に接続された場合、音楽機能付きクレードル装置２には、携帯音楽プレーヤ６Ａ等が内部メモリ等から再生した音楽信号が充電台用接続端子を経由して入力される。その結果、左用スピーカ１４及び右用スピーカ１５から、それぞれ入力された音楽信号に基づいて音楽が出力される。
【０１０８】
（５）音楽機能付きクレードル装置及びＡＣアダプタの回路構成
次に、音楽機能付きクレードル装置２及びＡＣアダプタ３の回路構成について、図４及び図５を参照して説明する。図４に示すように、音楽機能付きクレードル装置２は、ＭＰＵ(Micro Processing Unit)４０によって全体を統括制御している。このＭＰＵ４０が、ＡＣアダプタ３からＤＣケーブル４を介して供給される直流電力に基づいて全体を動作させるようになされている。
【０１０９】
音楽機能付きクレードル装置２は、充電台用接続端子を有するコネクタ１３を介して接続された携帯音楽プレーヤ６Ａや音楽再生機能付き携帯電話機６Ｂの端末用接続端子を有するコネクタ２８Ａ（又は２８Ｂ）から供給される音楽信号をインプットセレクタ４１に入力するようになされている。また、ライン入力端子２６を介して接続された外部の携帯音楽機器５６から供給される音楽データもまた、インプットセレクタ４１に入力される。
【０１１０】
インプットセレクタ４１は、デフォルトとしてコネクタ１３を介して携帯音楽プレーヤ６Ａや音楽再生機能付き携帯電話機６Ｂから供給される音楽信号を優先的に選択してＡ／Ｄ(Analog/Digital)コンバータ４２へ送出するようになされている。また、ＭＰＵ４０は、ファンクションスイッチ１６に対するユーザの押下操作に応じて入力されるキー信号Ｓ１に基づき、外部の携帯音楽機器６Ｃから供給される音楽信号を優先的に選択してＡ／Ｄコンバータ４２へ送出することができるようになされている。即ち、音楽機能付きクレードル装置２は、ファンクションスイッチ１６に対する押下操作に応じて携帯音楽プレーヤ６Ａ等からの音楽信号若しくは外部の携帯音楽機器５６からの音楽信号の何れかを選択的に切り換え得るようになされている。
【０１１１】
Ａ／Ｄコンバータ４２は、音声信号をデジタルの音楽データＭＤ１に変換し、その音楽データＭＤ１をデジタルシグナルプロセッサ４３へ送出する。デジタルシグナルプロセッサ４３は、音楽データＭＤ１に対して所定のデジタル信号処理を施した後、Ｄ級アンプ４４及びデジタルインタフェーストランスミッタ４５へ送出する。Ｄ級アンプ４４は、デジタル信号処理の施された音楽データＭＤ１に対して増幅処理を施し、その結果得られる左チャンネル用音楽信号及び右チャンネル用音楽信号に応じた音を左用スピーカ１４及び右用スピーカ１５からそれぞれ出力する。
【０１１２】
デジタルインタフェーストランスミッタ４５は、デジタル信号処理の施された音楽データＭＤ１をシリアルデータ形式の音楽データＳＭＤ１に変換し、これを重畳回路４６へ送出する。なお、音楽機能付きクレードル装置２のＭＰＵ４０は、ボリュームのアップボタン１７及びダウンボタン１８に対するユーザの押下操作に対応して入力される制御信号Ｓ２に基づき、デジタルシグナルプロセッサ４３から出力される音声データＭＤ１の音量レベルを調整し得るようになされている。因みに、ＭＰＵ４０は、音楽機能付きクレードル装置２の動作状態に応じたＬＥＤ制御信号Ｓ３を出力することにより、パワー表示ＬＥＤ１９とラインイン表示ＬＥＤ２０とサラウンド表示ＬＥＤ２１を点灯制御し得るようになされている。
【０１１３】
また、ＡＣアダプタ３は、商用交流電源から供給されるＡＣ１００[Ｖ]の交流電力を電源アンプ部３２のスイッチング電源回路５０に入力する。スイッチング電源回路５０は、ＡＣ１００[Ｖ]の交流電力をＤＣ１２[Ｖ]の直流電力ＤＰに変換し、その直流電力ＤＰを分離回路５１を介してＭＰＵ５２とレシーバ５３とＤ級アンプ５４に供給する。
【０１１４】
更に、ＡＣアダプタ３は、スイッチング電源回路５０から供給されるＤＣ１２[Ｖ]の直流電力ＤＰを、分離回路５１を介してＤＣ端子５５からＤＣケーブル４及びＤＣ入力端子２５を経由して直流電力ＤＰを音楽機能付きクレードル装置２に供給する。これにより、コネクタ１３（充電台用接続端子）１３を介して携帯音楽プレーヤ６Ａや音楽再生機能付き携帯電話機６Ｂが充電されるようになっている。
【０１１５】
ところで、音楽機能付きクレードル装置２は、ＡＣアダプタ３からＤＣケーブル４を経由して直流電流を受け取る一方、重畳回路４６によりその直流電流に対して音楽データＳＭＤ１を重畳させてＡＣアダプタ３へ伝送するようになされている。この場合、図５に示すように、音楽機能付きクレードル装置２では、コンデンサＣ１を介して音楽データＳＭＤ１をＤＣケーブル４経由で伝送し、ＡＣアダプタ３ではＤＣケーブル４経由で伝送された音楽データＳＭＤ１をコンデンサＣ２を介して分離回路５１に入力するようになされている。
【０１１６】
このようにしてＡＣアダプタ３は、コンデンサＣ１及びコンデンサＣ２によって音楽機能付きクレードル装置２からＤＣケーブル４を介して音楽データＳＭＤ１を受け取ることができる。これにより、ＡＣアダプタ３は、分離回路５１によって直流電流と音楽データＳＭＤ１とを分離して当該音楽データＳＭＤ１だけを抽出し、これをレシーバ５３へ送出する。レシーバ５３は、音楽データＳＭＤ１を復調処理する等して元の音楽データＭＤ１を復元し、その復元した音楽データＭＤ１のうち低周波成分だけをフィルタリングする。これにより低音域成分ＭＤ１Ｌを得ることができ、この低音域成分ＭＤ１ＬをＤ級アンプ５４へ送出する。Ｄ級アンプ５４は、低音域成分ＭＤ１Ｌを増幅し、その低音域成分ＭＤ１Ｌに応じた低音をサブウーファー３３から出力するようになされている。
【０１１７】
更に、音楽機能付きクレードル装置２は、携帯音楽プレーヤ６Ａや音楽再生機能付き携帯電話機６Ｂによって再生されて供給された音楽データＭＤ１をデジタルシグナルプロセッサ４３によってデジタル信号処理し、その後、メモリ４７に蓄積し得るようになされている。これにより、音楽機能付きクレードル装置２は、メモリ４７から音楽データＭＤ１を読み出して音楽データＭＤ１に応じた音を、Ｄ級アンプ４４を介して左用スピーカ１４及び右用スピーカ１５から出力することもできるようになされている。
【０１１８】
このように音楽機能付きクレードル装置２は、メモリ４７に多くの種類の音楽データＭＤ１を蓄積し、その音楽データＭＤ１を再生して左用スピーカ１４と右用スピーカ１５から出力することができる。そのため、携帯音楽プレーヤ６Ａや音楽再生機能付き携帯電話機６Ｂが接続されていない場合でも、音楽機能付きクレードル装置２は、それ自体が音楽データＭＤ１の再生手段でかつ音声出力手段にもなり得るようになされている。
【０１１９】
また、音楽機能付きクレードル装置２は、コネクタ（充電台用接続端子）１３を介して接続された音楽再生機能付き携帯電話機６Ｂに着呼があったことをＭＰＵ４０が検出し得るようになされている。その結果、音楽データＭＤ１を再生して左用スピーカ１４及び右用スピーカ１５から出力中に音楽再生機能付き携帯電話機６の着呼を検出した場合、デジタルシグナルプロセッサ４３を介して音楽データＭＤ１の音量レベルを強制的に下げると共に、着信音を左用スピーカ１４及び右用スピーカ１５から出力し得るようになされている。その後、音楽機能付きクレードル装置２では、ハンズフリー状態に遷移させ、着信音の出力後、相手音声についても左用スピーカ１４及び右用スピーカ１５から出力し得るようになされている。
【０１２０】
以上の構成において、音響システム１では、音楽機能付きクレードル装置２のコネクタ１３を介して接続された携帯音楽プレーヤ６Ａや音楽再生機能付き携帯電話機６Ｂにより再生された音楽データＭＤ１に対応する音の中高音域を左側スピーカ１４及び右側スピーカ１５から出力すると共に、音楽データＭＤ１に対応する音の低音域をＡＣアダプタ３のサブウーファー３３から出力することができるので、左側スピーカ１４及び右側スピーカ１５だけからでは出力できない低音域をサブウーファー３３で十分にカバーすることができる。
【０１２１】
このとき音響システム１では、左側スピーカ１４及び右側スピーカ１５の搭載された音楽機能付きクレードル装置２を、例えばテーブルの上に設置し、本体部３１の内部にサブウーファー３３が収納されたＡＣアダプタ３をテーブルの下に設置することにより、見かけ上もユーザに対してサブウーファー３３の存在を一切感じさせることなく低音域から中高音域までの豊かな音響環境を提供することができる。
【０１２２】
特に、ＡＣアダプタ３は、サブウーファー３３が指向性のない低音域だけを出力するようになされているため、そのサブウーファー３３を本体部３１の内部に隠蔽することができ、これによりユーザに対して、あたかも音楽機能付きクレードル装置２の左側スピーカ１４及び右側スピーカ１５だけで低音域から中高音域までの音を出力しているかのように体感させることができる。
【０１２３】
なお、ＡＣアダプタ３は、ポート３５でチューニングした低音域成分ＭＤ１Ｌの音しか出力せず、またサブウーファー３３を本体部３１により全て覆うようにしたことにより、デジタルフィルタリングによってフィルタリングし切れなかった中高音域がサブウーファー３３から仮に出力されてしまっても、その中高音域が本体部３１から外部へ殆ど漏れてしまうことがなく、機械的なフィルタリング構造によって低音域だけを確実に出力することができる。
【０１２４】
また、音響システム１では、電源供給ラインであるＤＣケーブル４によりＡＣアダプタ３から音楽機能付きクレードル装置２へ直流電力ＤＰを供給することができるだけでなく、その音楽機能付きクレードル装置２からＡＣアダプタ３へ音楽データＳＭＤ１を伝送することができる構造としたことにより、直流電力ＤＰ用の電源ラインと音楽データＳＭＤ１用の信号線とを２つ設ける必要がなく、全体としての構造を簡素化することができる。従って、音響システム１では、一般的なＤＣケーブル４によって音楽機能付きクレードル装置２とＡＣアダプタ３とを接続することができるため、ＡＣアダプタ３を用いるのではなく、サブウーファー３３が搭載されていない一般的なＡＣアダプタ（図示せず）をＤＣケーブル４によって接続することも可能であり、使い勝手を一段と向上させることができる。
【０１２５】
以上の構成によれば、音響システム１では、音楽機能付きクレードル装置２の左用スピーカ１４及び右側スピーカ１５により中高音域を出力すると共に、ＡＣアダプタ３に収納されたサブウーファー３３により低音域を出力することができるので、音楽機能付きクレードル装置２をサブウーファー３３によって大型化することなく、かつユーザに対してサブウーファー３３の存在を感じさせることなく、表現豊かなリスニング環境を提供することができる。
【０１２６】
（６）その他の実施の形態
なお上述の実施の形態においては、携帯音楽プレーヤ６Ａや音楽再生機能付き携帯電話機６Ｂによって再生される音楽信号に基づく音を音楽機能付きクレードル装置２の左側スピーカ１４及び右側スピーカ１５と、ＡＣアダプタ３のサブウーファー３３から出力させるようにした場合について述べたが、本発明はこれに限らず、半導体メモリ内蔵型又はハードディスク内蔵型の携帯オーディオプレーヤや、ＰＤＡ(Personal Digital Assistant)等の携帯音楽機器によって再生される音楽信号やラジオ番組の音を音楽機能付きクレードル装置２の左側スピーカ１４及び右側スピーカ１５と、ＡＣアダプタ３のサブウーファー３３とから出力させるようにしても良い。
【０１２７】
また、上述の実施の形態においては、２．１チャンネルの音響システム１における音楽機能付きクレードル装置２に対して左用スピーカ１４及び右側スピーカ１５を２個設け、ＡＣアダプタ３にサブウーファー３３を１個設けるようにした場合について述べたが、本発明はこれに限らず、音楽機能付きクレードル装置２に対して２個以上の複数個のスピーカを設けたり、ＡＣアダプタ３に対して複数個のザブウーファーを設けるようにしても良い。
【０１２８】
更に、外部の携帯音楽機器５６としてはノートブック型パーソナルコンピュータやＰＤＡ等の携帯音楽機器を用いることができる。この場合、ノートブック型パーソナルコンピュータやＰＤＡが有するスピーカから出力する音に加えて、ＡＣアダプタ３のサブウーファー３３によって低音域を出力することができる。これによりその、低音域が十分に出力された表現豊かな音響空間を提供することができる。
【０１２９】
また、上述の実施の形態においては、電源アダプタとしてＡＣアダプタ３を用いるようにした場合について述べたが、本発明はこれに限定されることがなく、電源アダプタとして音楽機能付きクレードル装置２に対して所定電圧レベルの直流電力を供給するＤＣ−ＤＣアダプタを用いるようにしても良い。
【０１３０】
更に、上述の実施の形態においては、音楽機能付きクレードル装置２がライン入力端子２６を介して外部の携帯音楽機器を接続し、当該外部の携帯音楽機器から音楽信号を入力し得るようにした場合について述べたが、本発明はこれに限らず、音楽機能付きクレードル装置２に対して着脱自在なメモリースティック（ソニー株式会社の登録商標）やＵＳＢ(Universal Serial Bus)メモリを介して音楽信号を入力するようにしても良い。
【０１３１】
以上説明したが、本願発明によれば、携帯音楽プレーヤや音楽再生機能付き携帯電話機等（携帯音楽機器）を接続するためのコネクタと、それら携帯音楽機器を載置するための充電台或いは筐体を備え、コネクタが左右に移動可能となるので、コネクタの左右の位置が異なった複数の携帯音楽機器を音楽機能付きクレードル装置に載置する場合でも、その音楽機能付きクレードル装置の中心と載置される携帯音楽機器の中心を一致させることが可能となった。また、中心のみならず、デザイン上必要とされる相対位置に、音楽機能付きクレードル装置と携帯音楽機器を配置することが可能となった。
【０１３２】
また、携帯音楽プレーヤや音楽再生機能付き携帯電話機等（携帯音楽機器）を接続するためのコネクタと、それら携帯音楽機器を背面から支えるための支持部材（サポートバー）を備え、支持部材が前後に移動可能となるので、携帯音楽機器の外形が異なる場合や、携帯音楽機器の外形に対してのコネクタの位置が異なる場合でも、携帯音楽機器の背面をしっかりと支えることが可能となる。そのため、携帯音楽機器の前面にある操作キーや操作ボタン等を操作した場合の携帯音楽機器のぐらつきを抑えることが可能となり、操作感の向上を図り、コネクタの損傷を防止することが可能となる。
【０１３３】
更に、音楽機能付きクレードル装置において、支持部材を筐体に対して前後に摺動可能とするガイド部分を備え、支持部材の携帯音楽機器の背面を支える部分とガイド部分との位置を離すことにより、携帯音楽機器の操作キーや操作ボタン等を押圧した場合でも、支持部材が移動せず、また、支持部材を前後に移動したい場合には、支持部材のガイド部分付近を操作することによって、支持部材を移動自在とすることが可能となる。そのため、特別なストッパねじの操作やその他の支持部材のロック、アンロック等の操作を必要とせず、簡単に支持部材を前途に移動可能としながらも、携帯音楽機器の前面にある操作ボタン等を操作した場合は、しっかりと携帯音楽機器を支持することが可能となった。
【０１３４】
また、音楽機能付きクレードル装置において、コネクタの左右の移動を検出するスイッチ或いは位置検出装置等を備え、携帯音楽機器を接続する際にコネクタの位置を左右に移動したことを検出することができる。そのため、接続している携帯音楽機器の種類を判別することが可能となり、充電台或いは筐体に接続している携帯音楽機器の種類の表示を音楽機能付きクレードル装置に表示することができる。更に、接続している携帯音楽機器の特性に合わせて音楽機能付きクレードル装置の音響特性を変化させることも可能となる。更にまた、これらのみならず、信号処理の方法（例えば、デジタルとアナログ、映像を出す場合と音を出す場合など）や、プレイモードの変化（例えば、１曲から１００曲までを順番に流す、１曲を繰り返すなど）等の応用が可能である。
【図面の簡単な説明】
【０１３５】
【図１】本発明の音楽機能付きクレードル装置を備えた音響システムの全体構成を示す説明図である。
【図２】本発明の音楽機能付きクレードル装置の第１の実施の例を分解して示す説明図である。
【図３】本発明の音楽機能付きクレードル装置の第１の実施の例を背面から見た斜視図である。
【図４】本発明の音楽機能付きクレードル装置を備えた音響システムの回路構成を示すブロック説明図である。
【図５】本発明のＤＣケーブルに対する音楽データの重畳を説明する説明図である。
【図６】本発明の音楽機能付きクレードル装置に厚みの薄い携帯音楽機器を装着した説明図である。
【図７】本発明の音楽機能付きクレードル装置に厚みの厚い携帯音楽機器を装着した説明図である。
【図８】本発明の音楽機能付きクレードル装置に用いて好適な厚みの薄い携帯音楽機器を示す斜視図である。
【図９】本発明の音楽機能付きクレードル装置に用いて好適な厚みの厚い携帯音楽機器を示す斜視図である。
【図１０】本発明の音楽機能付きクレードル装置の第１の実施の例を構成物品毎に分解した説明図である。
【図１１】本発明の音楽機能付きクレードル装置の上部ケースと充電台カバーを取り除くと共に厚みの薄い携帯音楽機器を装着した状態の要部平面図である。
【図１２】本発明の音楽機能付きクレードル装置の上部ケースと充電台カバーを取り除くと共に厚みの薄い携帯音楽機器を装着した状態の要部正面図である。
【図１３】本発明の音楽機能付きクレードル装置の上部ケースと充電台カバーを取り除くと共に厚みの薄い携帯音楽機器を装着した状態の中央部断面図である。
【図１４】本発明の音楽機能付きクレードル装置の上部ケースと充電台カバーを取り除くと共に厚みの厚い携帯音楽機器を装着した状態の要部平面図である。
【図１５】本発明の音楽機能付きクレードル装置の上部ケースと充電台カバーを取り除くと共に厚みの厚い携帯音楽機器を装着した状態の要部正面図である。
【図１６】本発明の音楽機能付きクレードル装置の上部ケースと充電台カバーを取り除くと共に厚みの厚い携帯音楽機器を装着した状態の中央部断面図である。
【図１７】本発明の音楽機能付きクレードル装置のサポートバーを前進させた状態の要部平面図である。
【図１８】本発明の音楽機能付きクレードル装置のサポートバーを前進させた状態の要部正面図である。
【図１９】本発明の音楽機能付きクレードル装置のサポートバーを前進させた状態の中央部断面図である。
【図２０】本発明の音楽機能付きクレードル装置のサポートバーを後退させた状態の要部平面図である。
【図２１】本発明の音楽機能付きクレードル装置のコネクタを充電台の中央の第１の位置に配置した状態の要部平面図である。
【図２２】本発明の音楽機能付きクレードル装置のコネクタを充電台の中央の第１の位置に配置した状態の要部断面図である。
【図２３】本発明の音楽機能付きクレードル装置のコネクタを充電台の第２の位置に移動した状態の要部平面図である。
【図２４】本発明の音楽機能付きクレードル装置のコネクタを充電台の第２の位置に移動した状態の要部正面図である。
【図２５】本発明の音楽機能付きクレードル装置のシャーシとスライドベースと段付きねじとの関係を示す説明図である。
【図２６】本発明の音楽機能付きクレードル装置のシャーシとスライドベースと鋼球と板ばねとの関係を示すもので、図２６Ａは一方の長穴に鋼球が位置する状態、図２６Ｂは一方の長穴から鋼球が飛び出した状態、図２６Ｃは他方の長穴に鋼球が入り込んだ状態、のそれぞれ説明図である。
【図２７】本発明の支持部材の動作を説明するもので、図２７Ａはガイド軸の軸受穴の中心線上に力を加える場合（回転モーメントが発生しない場合）、図２７Ｂはガイド軸の軸受穴の中心線から離れた位置に力を加える場合（回転モーメントが発生する場合、そのうち、その１において板ばねのばね力が無い場合）、図２７Ｃはガイド軸の軸受穴の中心線から離れた位置に力を加える場合（回転モーメントが発生する場合、そのうち、その１において板ばねのばね力が有る場合）、のそれぞれ説明図である。
【図２８】本発明の音楽機能付きクレードル装置に係る支持部材の他の実施の例を示すもので、図２８Ａは支持部材の第２の実施の例を示す斜視図、図２８Ｂは支持部材の第３の実施の例を示す斜視図、図２８Ｃは支持部材の第４の実施の例を示す斜視図である。
【符号の説明】
【０１３６】
１…音響システム、  ２…音楽機能付きクレードル装置、  ３…ＡＣアダプタ、  ４…ＤＣケーブル、  ５…ＡＣプラグ、  ６Ａ…携帯音楽プレーヤ（携帯音楽機器）、  ６Ｂ…音楽再生機能付き携帯電話機（携帯音楽機器）、  １０…本体部、  １１…上部ケース、  １１ａ…前面部、  １２…充電台、  １３…充電台用コネクタ、  １４…左用スピーカ、  １５…右用スピーカ、  ２８Ａ，２８Ｂ…端末側コネクタ、  ５５…シャーシ、  ６１…充電台カバー、  ６３…スライドベース、  ６４…ガイドブロック、  ６５…ガイド穴、  ６６…保持穴、  ６７…鋼球（球体）、  ６８…段付きねじ、  ７１…配線基板、  ７２…エスカッション、  ７４…長穴、  ８１…サポートバー（支持部材）、  ８２…ガイド軸（ガイド部）、  ８３…折り曲げ軸（接触部）、  ８４…軸受部、  ９５…板ばね（付勢部材）、  ９５ｂ…軸付勢部、  ９５ｃ…球付勢部、  １０１…ベース部、  １０２…衝立部、  １４１，１５１，１６１…支持部材、  ２０３，２１３…操作キー
【図１】
2008092159.tif 000003
【図２】
2008092159.tif 000004
【図３】
2008092159.tif 000005
【図４】
2008092159.tif 000006
【図５】
2008092159.tif 000007
【図６】
2008092159.tif 000008
【図７】
2008092159.tif 000009
【図８】
2008092159.tif 000010
【図９】
2008092159.tif 000011
【図１０】
2008092159.tif 000012
【図１１】
2008092159.tif 000013
【図１２】
2008092159.tif 000014
【図１３】
2008092159.tif 000015
【図１４】
2008092159.tif 000016
【図１５】
2008092159.tif 000017
【図１６】
2008092159.tif 000018
【図１７】
2008092159.tif 000019
【図１８】
2008092159.tif 000020
【図１９】
2008092159.tif 000021
【図２０】
2008092159.tif 000022
【図２１】
2008092159.tif 000023
【図２２】
2008092159.tif 000024
【図２３】
2008092159.tif 000025
【図２４】
2008092159.tif 000026
【図２５】
2008092159.tif 000027
【図２６】
2008092159.tif 000028
【図２７】
2008092159.tif 000029
【図２８】
2008092159.tif 000030